(57)【要約】【課題】高い操作性を備えた睫毛化粧用器具を提供する。【解決手段】連結部１２により弾性変位可能に連結された棒状体１１−１および棒状体１１−２の端部付近の部分である狭持部１１１−１および狭持部１１１−２に、棒状体１１の長手方向に対し放射状に植毛された多数の毛からなるブラシ１３−１およびブラシ１３−２が設けられている。外部から力を加えない状態において、狭持部１１１−１と狭持部１１１−２との距離は一定に維持される。外部から狭持部１１１−１と狭持部１１１−２を閉じる方向に所定以上の強さの力が加えられると、狭持部１１１−１と狭持部１１１−２はその力の強さに応じた強さで被狭持物を狭持する。【選択図】図１
2010284515.tif 000002
【特許請求の範囲】
【請求項１】
第１の棒状体と、
前記第１の棒状体に対し開閉可能に連結された第２の棒状体と、
前記第１の棒状体と前記第２の棒状体が閉じた状態において、前記第１の棒状体の一部である第１の狭持部の前記第２の棒状体に対向する側面から前記第２の棒状体に向かう方向に突起する複数の突起部と
を備え、
前記第１の棒状体および前記第２の棒状体に対し外部から力が加えられない状態において、前記第１の狭持部と、前記第１の棒状体の一部であり前記第１の狭持部に対向する部分である第２の狭持部との間に所定距離以上の間隔が開き、前記第１の狭持部と前記第２の狭持部との間で被狭持物の狭持が行われない開状態が維持され、
前記第１の棒状体および前記第２の棒状体に対し前記第１の棒状体と前記第２の棒状体とが互いに接近する方向に外部から力が加えられた場合、当該外部からの力の大きさに応じた強さで、前記第１の狭持部と前記第２の狭持部との間で被狭持物の狭持が行われる閉状態となる
睫毛化粧用器具。
【請求項２】
前記第１の棒状体の一端と前記第２の棒状体の一端とは互いに連結され、
前記第１の棒状体の前記一端と前記第２の棒状体の前記一端とが互いに連結されている部分である連結部は弾性を有し、
前記第１の狭持部は、前記第１の棒状体の前記一端とは異なる他端側に位置し、
前記第２の狭持部は、前記第２の棒状体の前記一端とは異なる他端側に位置し、
前記第１の棒状体の前記一端と前記他端との間の部分と、前記第２の棒状体の前記一端と前記他端との間の部分に対し、前記第１の棒状体と前記第２の棒状体とが互いに接近する方向に外部から力が加えられた場合、前記連結部を支点とし、前記第１の狭持部と前記第２の狭持部が互いに接近するように移動する結果、前記閉状態となる
請求項１に記載の睫毛化粧用器具。
【請求項３】
前記第１の狭持部は、前記第２の狭持部と対向する側の側面に関し前記第２の狭持部に対し凸に湾曲し、
前記突起部の各々は、前記第１の狭持部の前記第２の狭持部と対向する側の側面と、前記第１の狭持部の長手方向に対し垂直な平面との交線上に帯状に突起している
請求項１または２に記載の睫毛化粧用器具。
【請求項４】
前記第２の狭持部は、前記第１の狭持部と対向する側の側面に関し前記第１の狭持部に対し凹に湾曲し、
前記第２の狭持部の前記第1の狭持部と対向する側の側面上には、前記第１の棒状体と前記第２の棒状体が閉じられた状態において前記複数の突起部を各々受容する複数の帯状の溝である溝部を備える
請求項３に記載の睫毛化粧用器具。
【請求項５】
前記第１の棒状体と前記第２の棒状体は各々、１本の樹脂製の棒状体の長手方向中央において二つ折りにした一方と他方であり、
前記第１の棒状体および前記第２の棒状体の各々の互いに連結されている側の端部から所定の長さ部分が互いに開閉不可能に固定されている
請求項１乃至４のいずれかに記載の睫毛化粧用器具。
【請求項６】
前記第１の狭持部は、前記第１の棒状体の長手方向に対し所定の形状で湾曲しており、
前記第２の狭持部は、前記閉状態において前記第１の狭持部の形状に沿うように、前記第２の棒状体の長手方向に対し所定の形状で湾曲している
請求項１乃至５のいずれかに記載の睫毛化粧用器具。
【請求項７】
前記第１の狭持部の素材は、前記第１の棒状体の前記第１の狭持部以外の部分の素材と比較し、同じ形状および同じ大きさにおいて低い剛性を示し、
前記第２の狭持部の素材は、前記第２の棒状体の前記第２の狭持部以外の部分の素材と比較し、同じ形状および同じ大きさにおいて低い剛性を示す
請求項１乃至６のいずれかに記載の睫毛化粧用器具。
【発明の詳細な説明】
【技術分野】
【０００１】
本発明は、睫毛の整形およびマスカラの塗布のための器具に関する。
【背景技術】
【０００２】
美容のために、睫毛をカールさせたいと思う人は少なくない。そのため、ビューラと呼ばれる器具が広く用いられている。なお、ビューラは、アイラッシュ・カーラーもしくは睫毛カーラーとも呼ばれる。
【０００３】
広く用いられているビューラのあるものは、睫毛のカール方向に湾曲した凹形状の弾性体と、それと噛み合うように湾曲した凸形状の弾性体とを備え、西洋バサミのハンドルと類似のハンドルをユーザが操作すると、その操作に応じて２個の弾性体が上下に開閉する構造を有している。そのような構造のビューラ（以下、「ハサミ型ビューラ」と呼ぶ）を用いる場合、ユーザはハンドルを操作し睫毛を上下から弾性体の対により挟み込み、その圧力によって睫毛をカールさせる。
【０００４】
広く用いられている他のタイプのビューラは、ホットビューラと呼ばれるもので、毛足の短いブラシを有する歯ブラシに類似の形状を備えている。ホットビューラのブラシの基部にはヒーターが設けられ、例えば上目蓋の睫毛を上向きにカールさせる場合、ユーザはブラシの基部で睫毛の根元付近を下から上方向に持ち上げ、しばらくその状態を維持する。その結果、睫毛に根元から上向くクセがつき、正面から見た睫毛が美しく見える。なお、ホットビューラのブラシは、睫毛を梳かす役割も果たす。
【０００５】
一方、美容のために、睫毛を長く見せたい、もしくは睫毛の色を変えたい、と思う人も少なくない。そのため、マスカラと呼ばれる液体、固体もしくはクリーム状の塗布剤を、マスカラブラシと呼ばれる器具を用いて睫毛に塗布することが広く行われている。広く用いられているマスカラブラシは、棒状の本体部の一方の先端付近に、本体の軸から放射状に広がる毛足の短いブラシを設けた構造を有している。
【０００６】
ユーザは、好みの色や粘性等の品質を備えたマスカラを付着させたマスカラブラシを睫毛の表面に撫でつけることにより、マスカラを睫毛の表面に塗布する。通常、上目蓋の睫毛に関しては、ユーザは、まず睫毛の上側にマスカラを塗布した後、睫毛の下側にマスカラを塗布する。上目蓋の睫毛は上方向に向くことが望ましいため、睫毛を下側から持ち上げるようにマスカラを塗布し、マスカラをその状態で乾燥させることで、望ましい睫毛の状態を維持させるためである。
【０００７】
一方、下目蓋の睫毛に関しては、下側にマスカラを塗布することはあまり行われていない。睫毛と下目蓋との間の空間が狭いため、ユーザにとって、マスカラブラシを睫毛と下目蓋との間に差し入れることが容易ではないためである。従って、ユーザは、睫毛の上側のみにマスカラを塗布する。その際、睫毛が下側を向いた状態となり、マスカラがその状態で乾燥することにより、望ましい睫毛の状態が維持される。
【０００８】
なお、マスカラの多くは塗布剤に繊維を混合した組成を有している。そのため、マスカラブラシによりマスカラが睫毛に塗布される際に睫毛の先に睫毛の延長方向に伸びるように繊維が付着するため、睫毛が長くなったように見える。その結果、ユーザはマスカラの塗布により、睫毛の色の変更に加え、睫毛の見た目の長さを長くすることができる。
【０００９】
上述したビューラとマスカラブラシは、美容のために睫毛を化粧（以下、睫毛にカールを付すこと、および睫毛にマスカラを塗布すること、の両方を総称する言葉として「化粧」という言葉を用いる）するための器具という点で互いに関連している。すなわち、ユーザは、ビューラによりカールした睫毛に対し、マスカラブラシによりマスカラを塗布することにより、さらにその形状を整え、また見た目の長さを長くした上で、マスカラを乾燥させることにより、その形状を長時間維持させる。
【００１０】
このように、互いに関連するビューラとマスカラブラシの機能を同時に持たせた睫毛用化粧器具も提案されている。例えば、特許文献１には、西洋バサミと似た形状の本体を有し、ハサミの２本の刃の各々の先端付近にマスカラブラシが備えるものと同様の放射状に伸びる毛足の短いブラシを設けた器具が提案されている。
【００１１】
特許文献１に開示の器具によれば、ユーザは睫毛をカールさせる動作と、睫毛にマスカラを塗布する動作を同時に行うことができる。従って、睫毛の化粧をビューラおよびマスカラブラシにより個別に行う場合と比較し、短時間で睫毛に対する化粧を行うことができる。
【００１２】
また、特許文献１に開示の器具によれば、睫毛が上下からマスカラの付着したブラシにより挟み込まれつつ化粧されるため、睫毛の一方の側からマスカラが塗布される場合と比較し、睫毛に対しマスカラがしっかりと付着するとともに、マスカラが睫毛に多く付き過ぎる、マスカラを睫毛に付着させるための力によって睫毛の形状が意図しない形状に変形する、といった不都合が回避される。
【００１３】
なお、特許文献１に開示の器具により睫毛の整形が行われる場合、睫毛に対する加熱は行われないため、ホットビューラにより睫毛の整形が行われる場合のように、睫毛が熱により痛むこともない。
【先行技術文献】
【特許文献】
【００１４】
【特許文献１】国際公開第２００４／０８２４２５号
【発明の概要】
【発明が解決しようとする課題】
【００１５】
特許文献１に開示の器具は、西洋バサミのハンドルと同様のハンドルを備えるため、少なくとも、睫毛に対する化粧という極めて繊細な処理を行うには操作性が十分でない、という問題がある。
【００１６】
本発明は、上述した特許文献１に開示の器具が備える望ましい効果を維持しつつ、十分な操作性を備えた睫毛化粧用器具を提供することを目的とする。
【課題を解決するための手段】
【００１７】
上記課題を達成するために、本発明は、
第１の棒状体と、
前記第１の棒状体に対し開閉可能に連結された第２の棒状体と、
前記第１の棒状体と前記第２の棒状体が閉じた状態において、前記第１の棒状体の一部である第１の狭持部の前記第２の棒状体に対向する側面から前記第２の棒状体に向かう方向に突起する複数の突起部と
を備え、
前記第１の棒状体および前記第２の棒状体に対し外部から力が加えられない状態において、前記第１の狭持部と、前記第１の棒状体の一部であり前記第１の狭持部に対向する部分である第２の狭持部との間に所定距離以上の間隔が開き、前記第１の狭持部と前記第２の狭持部との間で被狭持物の狭持が行われない開状態が維持され、
前記第１の棒状体および前記第２の棒状体に対し前記第１の棒状体と前記第２の棒状体とが互いに接近する方向に外部から力が加えられた場合、当該外部からの力の大きさに応じた強さで、前記第１の狭持部と前記第２の狭持部との間で被狭持物の狭持が行われる閉状態となる
睫毛化粧用器具
を提供する（第１の実施態様）。
【００１８】
上記第１の実施態様の好ましい態様において、
前記第１の棒状体の一端と前記第２の棒状体の一端とは互いに連結され、
前記第１の棒状体の前記一端と前記第２の棒状体の前記一端とが互いに連結されている部分である連結部は弾性を有し、
前記第１の狭持部は、前記第１の棒状体の前記一端とは異なる他端側に位置し、
前記第２の狭持部は、前記第２の棒状体の前記一端とは異なる他端側に位置し、
前記第１の棒状体の前記一端と前記他端との間の部分と、前記第２の棒状体の前記一端と前記他端との間の部分に対し、前記第１の棒状体と前記第２の棒状体とが互いに接近する方向に外部から力が加えられた場合、前記連結部を支点とし、前記第１の狭持部と前記第２の狭持部が互いに接近するように移動する結果、前記閉状態となる
ように構成されていてもよい（第２の実施態様）。
【００１９】
上記第１もしくは第２の実施態様の好ましい態様において、
前記第１の狭持部は、前記第２の狭持部と対向する側の側面に関し前記第２の狭持部に対し凸に湾曲し、
前記突起部の各々は、前記第１の狭持部の前記第２の狭持部と対向する側の側面と、前記第１の狭持部の長手方向に対し垂直な平面との交線上に帯状に突起している
ように構成されていてもよい（第３の実施態様）。
【００２０】
また、上記第３の実施態様の好ましい態様において、
前記第２の狭持部は、前記第１の狭持部と対向する側の側面に関し前記第１の狭持部に対し凹に湾曲し、
前記第２の狭持部の前記第1の狭持部と対向する側の側面上には、前記第１の棒状体と前記第２の棒状体が閉じられた状態において前記複数の突起部を各々受容する複数の帯状の溝である溝部を備える
ように構成されていてもよい（第４の実施態様）。
【００２１】
また、上記第１乃至第４のいずれかの実施態様の好ましい態様において、
前記第１の棒状体と前記第２の棒状体は各々、１本の樹脂製の棒状体の長手方向中央において二つ折りにした一方と他方であり、
前記第１の棒状体および前記第２の棒状体の各々の互いに連結されている側の端部から所定の長さ部分が互いに開閉不可能に固定されている
ように構成されていてもよい（第５の実施態様）。
【００２２】
また、上記第１乃至第５のいずれかの実施態様の好ましい態様において、
前記第１の狭持部は、前記第１の棒状体の長手方向に対し所定の形状で湾曲しており、
前記第２の狭持部は、前記閉状態において前記第１の狭持部の形状に沿うように、前記第２の棒状体の長手方向に対し所定の形状で湾曲している
構成としてもよい（第６の実施態様）。
【００２３】
また、上記第１乃至第６のいずれかの実施態様の好ましい態様において、
前記第１の狭持部の素材は、前記第１の棒状体の前記第１の狭持部以外の部分の素材と比較し、同じ形状および同じ大きさにおいて低い剛性を示し、
前記第２の狭持部の素材は、前記第２の棒状体の前記第２の狭持部以外の部分の素材と比較し、同じ形状および同じ大きさにおいて低い剛性を示す
構成としてもよい（第７の実施態様）。
【発明の効果】
【００２４】
本発明の第１の実施態様によれば、ユーザは、狭持部から伸びるブラシにマスカラを付着させた後、指先で睫毛化粧用器具を摘む動作により睫毛を少なくとも一方に突起部を備えた１対の狭持部で挟みつつ回転させ、睫毛化粧用器具を睫毛から引き離すことにより、睫毛にカールを付けると同時に、マスカラの塗布も行うことができる。
【００２５】
本発明の第１の実施態様にかかる睫毛化粧用器具は、ユーザが力を加えない状態において開状態が維持される。すなわち、ユーザは器具を開状態にするために、狭持部を開く方向に力を加える必要がない。そのため、本発明の第１の実施態様にかかる睫毛化粧用器具は西洋バサミのハンドルのような環状部を備える必要がない。従って、ユーザは指先の自由を環状部により拘束されることがない。また、西洋バサミのハンドルを扱う場合には、ユーザは通常、親指、人差し指、中指の３本の指を用いる必要があるが、本発明の第１の実施態様にかかる睫毛化粧用器具を扱う場合、ユーザは親指と人差し指、もしくは親指と中指の２本の指を用いれば足りる。さらに、西洋バサミのハンドルを扱う場合には、ユーザは指の第１間接付近でハンドルを保持する必要があるが、本発明の第１の実施態様にかかる睫毛化粧用器具を扱う場合、ユーザは指先でハンドルを保持することができる。これらの理由により、本発明の第１の実施態様にかかる睫毛化粧用器具によれば、西洋バサミのハンドルと同様もしくは類似のハンドルを備える器具による場合と比較し、ユーザは格段に高い操作性で快適に睫毛に対する化粧を行うことができる。
【００２６】
本発明の第２の実施態様にかかる睫毛化粧用器具は、いわゆるピンセットが備える構造により、本発明にかかる睫毛化粧用器具を実現するものである。そのため、例えば適する弾性を持った１本の棒状体を「く」の字形状に折り曲げることにより互いに連結された第１の棒状体および第２の棒状体を形成し、連結部とは異なる端部の少なくとも一方に突起部を設けることにより、容易かつ安価に本発明にかかる睫毛化粧用器具を製造することができる。
【００２７】
さらに、本発明の第２の実施態様にかかる睫毛化粧用器具を用いる場合、連結部を支点とする「てこ」の原理により、通常、ユーザが力を加える力点と支点との間の距離が、睫毛を狭持する作用点と支点との距離よりも短くなるため、ユーザの指先が加える力の強さの変位よりも狭持部が被狭持物に加える力の強さの変位の方が小さくなる。その結果、例えば力点−支点間と作用点−支点間の距離がほぼ等しい西洋バサミ型のハンドルを採用した器具を用いる場合と比較して、本発明の第２の実施態様にかかる睫毛化粧用器具を用いるユーザは、睫毛を狭持する力の強さをより繊細に加減することができる。
【００２８】
本発明の第３の実施態様にかかる睫毛化粧用器具は、睫毛を湾曲した側面で狭持しつつ、帯状の突起により梳くことで、睫毛のカールとマスカラ塗布による睫毛の延長を容易に可能とするとともに、広くマスカラ塗布器具において採用されているブラシに代えて帯状に設けられた突起部が採用されているため、使用後に不着したマスカラの洗浄除去が容易であり、古いマスカラが固まって２度目以降における使用が不便となるといった問題を生じない。
【００２９】
本発明の第４の実施態様にかかる睫毛化粧用器具は、１対の狭持部の一方が凸面、他方が凹面となっているため、面により睫毛を狭持することができる。従って、例えば一方が凸面、他方が平面における場合のように、線によって睫毛の狭持が行われる場合と比較し、睫毛に対するマスカラのむらのない塗布が短時間で容易に可能となる。
【００３０】
本発明の第５の実施態様にかかる睫毛化粧用器具は、予め二つ折りと連結部付近の固定により容易に最終製品に組み立て可能なように成形された１本の樹脂製の棒状体でできているため、その製造が容易である。
【００３１】
本発明の第６の実施態様にかかる睫毛化粧用器具によれば、ユーザは、睫毛が全体として列状に生えているその列の形状、すなわち目蓋の縁の形状に沿うように、湾曲した狭持部により睫毛の多くの部分を同時に挟み込むことが可能となる。従って、例えば直線状の狭持部を備える器具を用いる場合と比較し、ユーザは睫毛全体を少ない回数で、かつ、より滑らかな形状に、化粧することができる。
【００３２】
本発明の第７の実施態様にかかる睫毛化粧用器具によれば、ユーザは、器具の本体部分よりも軟らかい素材でできている狭持部を、例えば指先で好みの形状に変形させることができる。その結果、ユーザは自分の睫毛の生えている形状に沿うように狭持部を整形することにより、例えばそのような変形ができない狭持部を備える器具を用いる場合と比較し、睫毛全体を少ない回数で、より滑らかな形状に、かつ、より睫毛に不要な力を加えることなく、化粧することができる。
【図面の簡単な説明】
【００３３】
【図１】図１は、本発明の実施形態にかかる睫毛化粧用器具を示した図である。
【図２】図２は、本発明の実施形態の第１変形例にかかる睫毛化粧用器具を示した図である。
【図３】図３は、本発明の実施形態の第３変形例にかかる睫毛化粧用器具を示した図である。
【図４】図４は、本発明の実施形態の第４変形例にかかる睫毛化粧用器具を示した図である。
【図５】図５は、本発明の実施形態の第５変形例にかかる睫毛化粧用器具を示した図である。
【図６】図６は、本発明の実施形態の第６変形例にかかる睫毛化粧用器具の組み立て前の状態を示した図である。
【図７】図７は、本発明の実施形態の第６変形例にかかる睫毛化粧用器具の組み立て後の状態を示した図である。
【図８】図８は、本発明の実施形態の第６変形例にかかる睫毛化粧用器具の１対の狭持部の一方を示した図である。
【図９】図９は、本発明の実施形態の第６変形例にかかる睫毛化粧用器具の１対の狭持部の他方を示した図である。
【発明を実施するための形態】
【００３４】
［１．実施形態］
図１は、本発明の実施形態にかかる睫毛化粧用器具１の外観図である。なお、図１（ａ）は外部から力を加えない状態の睫毛化粧用器具１を斜め方向からみた図であり、図１（ｂ）は外部から力を加えない状態の睫毛化粧用器具１を、睫毛化粧用器具１が備える１対の棒状体の可動方向（図１（ｂ）の矢印ｘおよび図１（ｃ）の矢印ｙが示す方向）に対し垂直方向から見た図であり、図１（ｃ）は図１（ｂ）の矢印Ｘが示す方向に外部から所定以上の力を加えた状態の睫毛化粧用器具１を、睫毛化粧用器具１が備える１対の棒状体の可動方向に対し垂直方向から見た図である。
【００３５】
図１に示されるように、睫毛化粧用器具１はピンセットの狭持部に一般的なマスカラブラシの先端に設けられているものと同様のブラシを設けた構造を有している。より具体的には、睫毛化粧用器具１はまず、１対の棒状体１１−１および棒状体１１−２を備えている。例えば、棒状体１１−１および棒状体１１−２は、ステンレス等の剛性の高い素材でできた１本の平板な棒を真ん中で「く」の字形状に折り曲げることにより形成されている。棒状体１１−１および棒状体１１−２は折り曲げられた部分、すなわち図１における連結部１２において互いに連結されている。
【００３６】
なお、１本の平板な棒を曲げて１対の棒状体１１を形成する代わりに、２本の平板な棒の各々の一方の端部を接着、ネジ止め等により連結させることにより１対の棒状体１１を形成するようにしてもよい。
【００３７】
棒状体１１−１および棒状体１１−２の連結部１２とは異なる側の端部は、円柱形状に加工されている。この円柱形状に加工されている部分は、睫毛を挟み込む部分であり、以下、それぞれを狭持部１１１−１および狭持部１１１−２と呼ぶ。狭持部１１１−１および狭持部１１１−２の先端は、万一、睫毛化粧用器具１の使用中に誤ってユーザが自分の目に睫毛化粧用器具１の先端をぶつけた場合であっても深刻な怪我を招かないように、例えば球状に加工されている。
【００３８】
狭持部１１１−１および狭持部１１１−２には、それらの軸に対し例えば放射状に、例えば３ミリメートル程度の長さの多数の毛が植毛されており、それらの多数の毛はブラシ１３−１およびブラシ１３−２を形成している。
【００３９】
棒状体１１−１および棒状体１１−２の外側側面には、それぞれ、ユーザが睫毛化粧用器具１を操作する際にユーザの指と睫毛化粧用器具１との間が滑らないように、滑り止めラバー１４−１および滑り止めラバー１４−２が貼り付けられている。
【００４０】
睫毛化粧用器具１は、外部から力を加えない状態において、図１（ｂ）に示すように狭持部１１１−１と狭持部１１１−２が互いに所定の間隔を維持するように成形がなされている。図１（ｂ）の状態を、以下、「開状態」と呼ぶ。
【００４１】
連結部１２は、例えば睫毛化粧用器具１の本体の材料の金属が備える弾性により、外部から加えられる力に応じて棒状体１１−１と棒状体１１−２との位置関係が変化することを許容しつつそれらを連結する。従って、ユーザが、例えば手の親指と人差し指、もしくは親指と中指により滑り止めラバー１４−１および滑り止めラバー１４−２の部分を摘み、図１（ｂ）の矢印Ｘの方向に力を加えると、連結部１２を支点とし、狭持部１１１−１と狭持部１１１−２が接近する方向、すなわち図１（ｂ）の矢印ｘの方向に棒状体１１−１と棒状体１１−２が移動する。
【００４２】
ユーザが睫毛化粧用器具１の矢印Ｘの方向に加える力が所定の強さに達すると、狭持部１１１−１と狭持部１１１−２がブラシ１３−１およびブラシ１３−２を介在して互いに接触する状態、すなわち図１（ｃ）の状態となる。この状態を、以下、「閉状態」と呼ぶ。閉状態において、ユーザがさらに強い力を加えると、連結部１２を支点とする「てこ」の原理に従い、ユーザが加えた力の強さに応じた強さで、狭持部１１１−１と狭持部１１１−２との間に置かれた被狭持物が狭持される。
【００４３】
なお、棒状体１１−１および棒状体１１−２の中腹部は、閉状態においてユーザが力を加えた場合に狭持部１１１−１と狭持部１１１−２による被狭持物の狭持を妨げないように、図１（ｂ）および（ｃ）に示されるように、狭持部１１１の付け根付近から外側に拡がる形状に成形されている。
【００４４】
ユーザは、睫毛化粧用器具１を用いて睫毛の化粧を行う場合、ブラシ１３−１およびブラシ１３−２の一方もしくは両方にマスカラを付着させた後、ブラシ１３−１とブラシ１３−２との間に睫毛が置かれる位置に睫毛化粧用器具１を保持し、睫毛化粧用器具１を指先で摘んでブラシ１３−１とブラシ１３−２で睫毛の根元付近を挟み込む。その後、ユーザは、睫毛を挟む力が適当な強さとなるように睫毛化粧用器具１を摘む力の強さを加減しながら、上睫毛であれば上向きにカールするように、下睫毛であれば下向きにカールするように、睫毛化粧用器具１の長手方向を軸とする回転運動を加えつつ、睫毛化粧用器具１を睫毛から引き離す。
【００４５】
睫毛化粧用器具１によれば、ユーザは上述した動作により、睫毛にカールを付けるとともに、睫毛の両面に対するマスカラの塗布を同時に行うことができる。その際、睫毛が１対のブラシで挟み込まれつつ化粧されるため、マスカラが睫毛にしっかりと塗布されるとともに、マスカラのダマも防止される。
【００４６】
さらに、睫毛化粧用器具１によれば、ユーザが上述した動作を行う際の力加減は極めて容易である。その第１の主たる理由は、棒状体１１−１と棒状体１１−２は連結部１２の弾性により、睫毛化粧用器具１は常に開状態に戻ろうとするためである。つまり、ユーザは睫毛化粧用器具１の被狭持物である睫毛に対する力を弱めたい場合、単に睫毛化粧用器具１を摘む指先の力を緩めるだけでよく、西洋バサミのハンドルを採用した器具のように、狭持部を開く方向に力を加える必要がない。その結果、自由な力加減が可能となる。
【００４７】
睫毛化粧用器具１によってユーザが睫毛の化粧のための動作を行う際に極めて容易に力加減を行うことができる第２の主たる理由は、ユーザが睫毛化粧用器具１に対し力を加える点（力点）と連結部１２（支点）との距離が、狭持部１１１−１および狭持部１１１−２（作用点）と連結部１２（支点）との距離より短いためである。その結果、「てこ」の原理により、ユーザの指先が加える力の強さの変位よりも狭持部が被狭持物に加える力の強さの変位の方が小さくなる。従って、ユーザは睫毛を挟む力の強さをより繊細に加減することができる。
【００４８】
［２．変形例］
上述した実施形態は本発明の技術的思想の範囲内で様々に変形可能である。以下にそのような変形例を示す。
【００４９】
［２．１．第１変形例］
上述した実施形態において、狭持部１１１は円柱形状であるものとした。第１変形例においては、狭持部１１１は一般的なユーザの睫毛の生えている位置が全体して形成する形状、すなわち目蓋の縁の形状に沿うように、円弧状に湾曲した形状に成形されている。図２は、第１変形例にかかる睫毛化粧用器具１を示す図である。
【００５０】
図２に示されるように、狭持部１１１−１と狭持部１１１−２は閉状態において湾曲した線により睫毛を狭持するように、同じ方向、同じ形状に湾曲している。
【００５１】
第１変形例にかかる睫毛化粧用器具１によれば、狭持部１１１の形状が睫毛の生え位置が示す形状と近いため、狭持部１１１が直線的に成形されているものと比較し、より広い範囲の睫毛に均等な力が加えられるため、睫毛のより多くの部分を一度に化粧することができるとともに、睫毛の位置によりカールの方向が異なる、マスカラの塗布量や付き方が異なる、といった問題が生じにくい。
【００５２】
なお、第１変形例において、狭持部１１１が棒状体１１本体の長手方向に対し湾曲する方向は、狭持部１１１が移動する方向に対し垂直方向であってもよいし、垂直方向よりいずれかの方向に傾斜した方向であってもよい。また、狭持部１１１が描く円弧の弦の方向は、棒状体１１本体の長手方向と一致してもよいし、長手方向からいずれかの方向にまがっていてもよい。図２は、狭持部１１１の湾曲方向が、狭持部１１１の移動方向に対し垂直の方向より一方に傾斜し、狭持部１１１が描く円弧の弦が棒状体１１本体の長手方向からずれている場合を示している。図２の睫毛化粧用器具１は、例えば右上目蓋の化粧をする際にユーザが睫毛化粧用器具１を持ちやすいように、狭持部１１１の湾曲の方向、狭持部１１１が描く円弧の弦の方向が予め調整されている。
【００５３】
［２．２．第２変形例］
第２変形例において、狭持部１１１は棒状体１１の狭持部１１１以外の部分（棒状体１１本体）と比較し軟らかい素材でできている。より正確に言えば、同じ形状・サイズにおいて狭持部１１１の素材と棒状体１１本体の素材を比較した場合、前者の剛性が後者の剛性より低い。
【００５４】
第２変形例の一例として、棒状体１１本体はステンレスでできており、狭持部１１１は、指先で容易に曲げられるが、睫毛を挟む際に狭持部１１１に加えられる程度の力によっては曲がらない剛性を備えたアルミニウム合金でできているものが考えられる。
【００５５】
その場合、ユーザは自分の睫毛の生え位置の形状に狭持部１１１の形状が沿うように、また、睫毛を化粧する際に睫毛化粧用器具１を楽に持てるように、狭持部１１１の形状や角度を自由に変更することができる。その結果、第２変形例にかかる睫毛化粧用器具１による場合、ユーザは固定形状の狭持部を備える器具を用いる場合と比較し、より快適に睫毛に対する化粧を行うことができる。
【００５６】
第２変形例の他の一例として、棒状体１１本体はステンレスでできており、狭持部１１１はナイロン等の軟質プラスチックでできているものが考えられる。その場合、連結部１２に求められる弾性と耐久性が確保されると同時に、睫毛を狭持する際に加えられる力によって狭持部１１１がある程度変形するため、睫毛に無理な力が加わらず、睫毛が抜ける、もしくは切れる、といった問題が生じにくい。また、狭持部１１１の先端がユーザの目にぶつかったような場合、狭持部１１１が軟質であれば怪我のリスクが低くなるため望ましい。
【００５７】
［２．３．第３変形例］
上述した実施形態において、連結部１２は１本の平板な棒を折り曲げ成形することにより、もしくは２本の平板な棒を接着等することにより、形成される。これに対し、第３変形例において、連結部１２は軸棒により棒状体１１−１および棒状体１１−２の一方の端部に設けられた環状部を回転可能に連結する構造を備える。また、第３変形例の睫毛化粧用器具１は、力が加えられない状態で開状態を維持できるように、棒状体１１−１と棒状体１１−２を互いに引き離す方向への力を生じるバネが用いられる。
【００５８】
図３は、第３変形例にかかる睫毛化粧用器具１が備える連結部１２付近の構造を示すための分解図である。
【００５９】
第３変形例において、棒状体１１−１および棒状体１１−２は各々独立したピースである。棒状体１１−１および棒状体１１−２の連結部１２側の端部には、互いに係合する形状を備えた環状部１１２−１および環状部１１２−２が設けられている。環状部１１２−１と環状部１１２−２が互いに係合した状態で、それらを貫通するように軸棒１２１が取り付けられる。その結果、棒状体１１−１と棒状体１１−２は軸棒１２１の周りを回転可能に連結される。
【００６０】
上記のように環状部１１２−１と環状部１１２−２に軸棒１２１が取り付けられる際に、睫毛化粧用器具１本体に対するねじりバネ１５の取り付けも行われる。ねじりバネ１５はコイル部と、コイル部から外側に伸びる２本の脚を備えている。力を加えない状態で、ねじりバネ１５の２本の脚は、例えば９０度である。
【００６１】
ねじりバネ１５が睫毛化粧用器具１本体に取り付けられた状態で、軸棒１２１はねじりバネ１５のコイル部を貫通する。また、ねじりバネ１５の一方の脚は棒状体１１−１に対し、また他方の脚は棒状体１１−２に対し、内側から外側に向かう力を加える。
【００６２】
ねじりバネ１５が棒状体１１に加える力により、棒状体１１−１と棒状体１１−２が離れる方向に軸棒１２１の周りを回転移動しようとすると、閉状態から所定の角度だけ開いたところで環状部１１２−１の一部が棒状体１１−２の端部にぶつかり合い、それ以上は開かないようになっている。これにより、睫毛化粧用器具１の開状態が維持される。
【００６３】
なお、上述した第３変形例においては、ねじりバネ１５を使用することにより閉状態から開状態へと棒状体１１を押し広げる力を生じさせるものとしたが、それに代えて、例えば棒状体１１の中腹部の内側に、棒状体１１−１と棒状体１１−２を押し広げるように力を加える弦巻バネを用いてもよい。
【００６４】
［２．４．第４変形例］
上述した実施形態およびその変形例は、ピンセットと類似の構造を備えている。すなわち、連結部１２を支点とする「てこ」の原理により睫毛を狭持する構造を備えている。これに対し、第４変形例にかかる睫毛化粧用器具１は、「てこ」の原理は使用しない構造を備えている。
【００６５】
図４は、第４変形例にかかる睫毛化粧用器具１を示した図である。なお、図４（ｂ）は開状態、図４（ｃ）は閉状態を示し、図４（ｄ）は連結部１２の構造を模式的に示している。第４変形例にかかる睫毛化粧用器具１の棒状体１１−１と棒状体１１−２は、狭持部１１１に近い位置の連結部１２ａと、狭持部１１１から遠い位置の連結部１２ｂの２つの連結部１２により連結されている。
【００６６】
連結部１２ａおよび連結部１２ｂの各々は、棒状体１１−１から棒状体１１−２に向かい突起している円柱形状の連結棒１２２と、棒状体１１−２の棒状体１１−１に対向する側（内側）に設けられた円柱形状の凹部１２３により構成されている。凹部１２３の周りには、弦巻バネ１６が配置されている。
【００６７】
連結棒１２２は凹部１２３に係合され、棒状体１１−１および棒状体１１−２を、それらの長手方向に対し垂直方向、すなわち図４（ｄ）の矢印ｚの方向に移動可能に連結する。弦巻バネ１６は棒状体１１−１と棒状体１１−２とを引き離す方向に力を加える。ただし、棒状体１１−１と棒状体１１−２の距離が所定距離に達すると、連結棒１２２の突起が凹部１２３の突起とぶつかり合い、棒状体１１−１と棒状体１１−２がそれ以上は開かないようになっている。これにより、睫毛化粧用器具１の開状態が維持される。
【００６８】
第４変形例にかかる睫毛化粧用器具１によれば、ユーザの指先の変位と狭持部１１１の変位とが一致する。また、視覚的にもユーザの指先の動きと狭持部１１１の動きが一致する。従って、あるユーザにとっては、ピンセット型の「てこ」の原理を用いる器具と比べ、第４変形例にかかる睫毛化粧用器具１の方が使い易いと感じられる。
【００６９】
［２．５．第５変形例］
図５は、第５変形例にかかる睫毛化粧用器具１を示した図である。なお、図５（ａ）は開状態、図５（ｂ）は閉状態を示している。第５変形例にかかる睫毛化粧用器具１は、西洋バサミのように作用点と力点との間に支点が配置された「てこ」の原理を利用する構造を備えている。ただし、狭持部１１１を開く方向に力が加えられるように、棒状体１１−１と棒状体１１−２の間に、連結部１２でコイル部を固定されたねじりバネ１７が配置されている。
【００７０】
第５変形例にかかる睫毛化粧用器具１は、特許文献１に開示の器具と一見似ているが、外部から力を加えない状態において開状態を維持する構造を備えているため、特許文献１に開示の器具と比較し、操作性が格段に優れている。その理由は既に述べたとおりである。
【００７１】
なお、上述した実施形態およびその変形例においては、狭持部１１１−１および狭持部１１１−２の両方にブラシが設けられている。狭持部１１１−１および狭持部１１１−２の一方のみにブラシを設ける構造としてもよい。
【００７２】
例えば、両方の狭持部１１１にブラシを設けると、使用するマスカラの特性によっては、それらのブラシがマスカラを含み過ぎてマスカラを薄く塗るのが難しくなる、といった不都合が生じる場合があり得る。また、両方の狭持部１１１にブラシを設けると、睫毛の毛質によっては、睫毛に化粧を行う時に上下のブラシに睫毛が挟まれ、睫毛に不要な力が加えられる場合があり得る。一方の狭持部１１１にのみブラシが設けられた睫毛化粧用器具１であれば、そのような問題が回避される。
【００７３】
一方の狭持部１１１にのみブラシを設ける構成とする場合、ブラシを設けない側の狭持部１１１を、例えばウレタン等の弾性体のパッドでカバーしてもよい。その場合、パッドがブラシから供給されるマスカラを程度に吸収し睫毛のブラシが当たらない側へのマスカラ塗布に貢献する、睫毛に化粧を行う時に適度の抵抗が生じる、等の効果が得られる。
【００７４】
［２．６．第６変形例］
図６乃至図９は、第６変形例にかかる睫毛化粧用器具２を示した図である。睫毛化粧用器具２は全体が樹脂一体成形により製造された１本の棒状体を長手方向中央において二つ折りにし、互いにその中央において連結された１対の棒状体、すなわち棒状体１１−１および棒状体１１−２が形成される構成を備える。睫毛化粧用器具２の素材は、例えばポリプロピレンである。
【００７５】
図６は、二つ折りにする前の状態の睫毛化粧用器具２の上面図（図６（ａ））および側面図（図６（ｂ））を示している。なお、上面図は、棒状体１１−１および棒状体１１−２の互いに対向する側の面を上とした場合の上面図である。
【００７６】
図７は、二つ折りにした後の状態の睫毛化粧用器具２の上面図（図７（ａ））、側面図（図７（ｂ）、および下面図（図７（ｃ））を示している。なお、上面図は、棒状体１１−１の外側面を上とした場合の上面図であり、下面図は、棒状体１１−２の外側面を下とした場合の下面図である。
【００７７】
図６および図７に示されるように、二つ折り前（組み立て前）の睫毛化粧用器具２の長手方向中央の位置には、折り曲げ方向に帯状の肉薄なヒンジ部２０３が、例えば延伸加工により設けられている。ヒンジ部２０３に沿って折り曲げられた後の睫毛化粧用器具２の一方の棒状体が棒状体１１−１、他方の棒状体が棒状体１１−２となる。
【００７８】
ヒンジ部２０３から棒状体１１−１の端部に向かい所定距離（例えば１５ミリメートル）離れた位置には、帯状の肉薄なヒンジ部２０４が、例えば延伸加工により設けられている。同様に、ヒンジ部２０３から棒状体１１−２の端部に向かい所定距離（例えば１５ミリメートル）離れた位置にも、帯状の肉薄なヒンジ部２０５が、例えば延伸加工により設けられている。
【００７９】
また、ヒンジ部２０３から棒状体１１−１の端部に向かい所定距離（例えば、１０ミリメートル）離れた位置に、二つ折りをした状態における棒状体１１−２に対向する側に向かい開口した穴２０１が設けられている。そして、ヒンジ部２０３から棒状体１１−２の端部に向かい所定距離（例えば、１０ミリメートル）離れた位置に、二つ折りをした状態における棒状体１１−１に対向する側に向かい突起したボス２０２が設けられている。
【００８０】
二つ折りの後、穴２０１にボス２０２を嵌め込むことにより、ヒンジ部２０３からヒンジ部２０４までの部分と、ヒンジ部２０３からヒンジ部２０５までの部分とが、睫毛化粧用器具２の開閉、すなわち棒状体１１−１と棒状体１１−２との開閉の如何にかかわらず、開閉せずに互いに固定された連結部１２を構成することになる。
【００８１】
棒状体１１−１および棒状体１１−２は各々、ヒンジ部２０４およびヒンジ部２０５の弾性により、ユーザにより力が加えられない状態において開状態となり、ユーザの加圧に応じて閉状態へと移行しつつ、狭持部１１１−１および狭持部１１１−２により被狭持物である眉毛を狭持する。
【００８２】
図８は、狭持部１１１−１を示した図である。図８に示されるように、狭持部１１１−１は全体として円柱形状をしており、その円柱の軸に垂直かつ互いに等距離な複数の平面の各々と、その円柱との交線が成す円上に、所定幅の帯状の溝１１１１が複数設けられた構造を備えている。なお、溝１１１１の各々の表面にはエッジが生じないように丸みが施されている。
【００８３】
狭持部１１１−１は上述した構造を備えているため、狭持部１１１−１が備える複数の溝１１１１の底（最深部）を基準として見た場合、溝１１１１でない部分が円柱の軸から外側に向かう方向に突起した複数の突起部１１１２を構成することになる。すなわち、言い換えれば、狭持部１１１−１は、全体として円柱形状をしており、その円柱の軸に垂直かつ互いに等距離な平面とその円柱との交線が成す円上に帯状に突起した複数の突起部１１１２を備えている。
【００８４】
狭持部１１１−１が備える複数の突起部１１１２は、上述した実施形態における睫毛化粧用器具１が備えるブラシ１３に代わるものであり、ブラシ１３と同様に、開状態において睫毛に対し塗布されるマスカラを保持し、閉状態において狭持された睫毛に対し保持していたマスカラを塗布する役割を果たす。なお、睫毛化粧用器具１が備えるブラシ１３は本発明にかかる複数の突起部の一例であり、睫毛化粧用器具２が備える複数の突起部１１１２はその他の例である。
【００８５】
睫毛化粧用器具２はブラシ１３に代えて上述の構造を有した突起部１１１２を備えているため、ユーザは睫毛化粧用器具２の狭持部１１１−１に付着したマスカラを使用後に容易に洗浄除去することができる。
【００８６】
図９は、狭持部１１１−２を示した図である。なお、図９（ａ）は狭持部１１１−２を狭持部１１１−１と対向する側から見た上面図であり、図９（ｂ）は狭持部１１１−２を棒状体１１−２の長手方向に対し垂直な側方から見た側面図であり、図９（ｃ）は狭持部１１１−２を棒状体１１−２の長手方向外側から見た側面図である。
【００８７】
図９に示されるように、狭持部１１１−２は全体として所定の肉厚（例えば、４ミリメートル）を有した半円筒形状をしており、その半円筒の軸に垂直かつ互いに等距離な複数の平面の各々と、その半円筒の内側面（狭持部１１１−１と対向する側の面）との交線が成す半円上に、帯状の溝１１１３が複数設けられた構造を備えている。
【００８８】
狭持部１１１−２が有する複数の溝１１１３は、各々、閉状態において対向する位置にある狭持部１１１−１が有する複数の突起部１１１２の各々を受容するように、その位置、サイズおよび形状が調整されている。その結果、睫毛化粧用器具２は、被狭持物である眉毛を湾曲した面で狭持しつつ梳くことを可能とする。従って、眉毛に対するカールが快適に行えるとともに、マスカラの塗布がむらなくスムーズに行える。
【００８９】
以上が本発明にかかる実施形態の第６変形例にかかる睫毛化粧用器具２の説明であるが、睫毛化粧用器具２を本発明の技術的思想の範囲内においてさらに様々に変形してもよい。例えば、狭持部１１１−１を円柱形状ではなく楕円柱形状のように他の形状としてもよい。その際、少なくとも狭持部１１１−２に対向する側の側面が狭持部１１１−２に対し凸に湾曲していることが、滑らかなカールを行うためには望ましい。
【００９０】
従って、狭持部１１１−２の形状も半円筒形状に限られず、狭持部１１１−１の形状に応じて様々に変更可能である。例えば、半円筒形状に代えて、半楕円筒形状が狭持部１１１−２の形状として採用されてもよい。また、円筒形状もしくは楕円形状から軸周りに例えば１２０度だけ切り取った形状が狭持部１１１−２の形状として採用されてもよい。なお、狭持部１１１−２は狭持部１１１−１に対向する側の側面が狭持部１１１−１に対し凹に湾曲していることが、滑らかなカールを行うためには望ましい。
【００９１】
また、穴２０１とボス２０２による係合は連結部１２を構成するための固着方法の一例であって、他の固着方法により連結部１２が構成されてもよい。例えば、棒状体１１−１の側にボスを設け、棒状体１１−２の側に穴を設けてもよいし、例えば接着により二つ折りの部分から所定の長さの部分が互いに固着されてもよい。
【００９２】
なお、睫毛化粧用器具２は一体成形により成形された樹脂製の１本の棒状体を二つ折りにして組み立てることにより製造されるものとしたが、その素材や組み立ての方法はそれに限られない。例えば、樹脂に代えて金属が睫毛化粧用器具２の素材として採用されてもよい。また、各々個別に製造された棒状体１１−１および棒状体１１−２の各々の一方の端部を互いにネジ止めや溶接等により連結することにより、睫毛化粧用器具２が組み立てられてもよい。
【産業上の利用可能性】
【００９３】
本発明の睫毛化粧用器具は、睫毛にカールを付す動作と、睫毛にマスカラを塗布する動作とを同時かつ容易に行うことを可能とするため、睫毛にそれらの化粧を施したい、と思う全ての人にとって利用可能である。
【符号の説明】
【００９４】
１…睫毛化粧用器具、２…睫毛化粧用器具、１１…棒状体、１２…連結部、１３…ブラシ、１４…滑り止めラバー、１５…ねじりバネ、１６…弦巻バネ、１７…ねじりバネ、１１１…狭持部、１１２…環状部、１２１…軸棒、１２２…連結棒、１２３…凹部、１２４…連結棒、２０１…穴、２０２…ボス、２０３…ヒンジ部、２０４…ヒンジ部、２０５…ヒンジ部、１１１１…溝、１１１２…突起部、１１１３…溝。
【図１】
2010284515.tif 000003
【図２】
2010284515.tif 000004
【図３】
2010284515.tif 000005
【図４】
2010284515.tif 000006
【図５】
2010284515.tif 000007
【図６】
2010284515.tif 000008
【図７】
2010284515.tif 000009
【図８】
2010284515.tif 000010
【図９】
2010284515.tif 000011